(57)【要約】【課題】  サンドイッチなどの固形の食品を収容するための食品用包装袋を大きく開くことができるようにする。【解決手段】一対のプラスチックフィルムシート１、１０を重ね合わせ、各シートの先端所定範囲をタブ４Ａ、４Ｂとして残した状態で両側辺を横断する線に沿って各シート同士を接着した頂部封止部と、頂部封止部より後方の各シートの両側辺同士を接着した側面封止部により３方を封止した袋体を構成し、一方のシート１０のタブ部分４Ａに袋体を引き裂くための易開封手段となる摘み部Ｓを設け、この袋体内に固形の食品を挿入することにより袋体を食品の外形に沿った板状の立体形状に拡げる食品用包装袋において、少なくとも易開封手段を設けた側のシート１０に引き裂きの方向性を持たせた直線カットフィルムを積層する。【選択図】  図１
2020200069.tif 000002
【特許請求の範囲】
【請求項１】
一対のプラスチックフィルムシートを重ね合わせ、各シートの先端所定範囲をタブとして残した状態で両側辺を横断する線に沿って各シート同士を接着した頂部封止部と、頂部封止部より後方の各シートの両側辺同士を接着した側面封止部により３方を封止した袋体を構成し、一方のシートのタブ部分に袋体を引き裂くための易開封手段を設け、この袋体内に固形の食品を挿入することにより袋体を食品の外形に沿った板状の立体形状に拡げる食品用包装袋において、少なくとも易開封手段を設けた側のシートに引き裂きの方向性を持たせた直線カットフィルムを積層したことを特徴とする食品用包装袋。
【請求項２】
積層される直線カットフィルムは延伸プラスチックフィルムである請求項１記載の食品用包装袋。
【請求項３】
下端を残して上方を半島状に切り込んだ舌片により上方に一定の面積を持った摘み部を一方のシートのタブ部分に設けることにより袋体を引き裂くための易開封手段とするとともに、一端が頂部封止部を越えて摘み部に達するカットテープを上記シートの裏面に接着した請求項１または２記載の食品用包装袋。
【請求項４】
一対のプラスチックフィルムシートを重ね合わせ、各シートの先端所定範囲をタブとして残した状態で両側辺を横断する線に沿って各シート同士を接着した頂部封止部と、頂部封止部より後方の各シートの両側辺同士を接着した側面封止部により３方を封止した袋体を構成し、一方のシートのタブ部分に袋体を引き裂くための易開封手段を設け、この袋体内に固形の食品を挿入することにより袋体を食品の外形に沿った板状の立体形状に拡げる食品用包装袋にして、少なくとも易開封手段を設けた側のシートに引き裂きの方向性を持たせた直線カットフィルムを積層した食品用包装袋の製造方法において、一対のプラスチックフィルムシートのそれぞれを個別の原反ロールから繰り出されるようにするとともに、繰り出し時にテンション制御を行うに際して、各原反ロールのプラスチックフィルムシート同士の伸びが同一になるようにテンションを調整することを特徴とする食品用包装袋の製造方法。
【発明の詳細な説明】
【技術分野】
【０００１】
本願発明は、例えば三角形のサンドイッチなどの固形の食品を収容するための食品用包装袋に関する。
【背景技術】
【０００２】
プラスチックフィルム製の一対のシートを重ね合わせ、三方を封止した袋体を構成し、上記袋体内にサンドイッチなどの固形の食品を挿入して包装するための食品用包装袋が公知である。
【０００３】
三角形のサンドイッチを想定した包装袋として、両側辺が先端に向かって幅狭となるプラスチックフィルム製の一対のシートを重ね合わせ、三方を溶着等の接着手段により封止した袋体を立体的に拡げることにより構成されるものが広く使用されている。この場合、袋体を構成する封止箇所はシートの先端所定範囲をタブとして残すとともに後端を開口として残した状態で設けられるものであり、具体的には両側辺を横断する線に沿って各シート同士を接着した頂部封止部と頂部封止部より後方の各シートの両側辺同士を接着した側面封止部に求められる。
【０００４】
この包装袋においては内部にサンドイッチを収容後、食品後端から袋体後端の開口部にかけた袋体の余剰部を折り畳んで粘着テープ等により封止して、包装済みサンドイッチとして流通に供する。よって、このサンドイッチを購入した需要者においては包装を外して収容された食品を取り出さなければならないが、食品後端の封止部を開くのは面倒なので、袋体自体を引き裂き破壊して食品を取り出していた。しかしながら、そのままでは何の手がかりも無く袋体を引き裂くことは困難であるので、従来多数の易開封手段が提案されていた。
【０００５】
前記の易開封手段の代表的なものとして、一対のプラスチックフィルムシートを重ね合わせ、各シートの先端所定範囲をタブとして残した状態で両側辺を横断する線に沿って各シート同士を接着した頂部封止部と、頂部封止部より後方の各シートの両側辺同士を接着した側面封止部により３方を封止した袋体を構成し、一方のシートのタブ部分に例えば一対の切り込みや半島状に切り込んだ舌片などの袋体を引き裂くための易開封手段を設けるとともに、一端が頂部封止部を越えて易開封手段に達するカットテープを上記シートの裏面に接着した食品用包装袋が周知である。
【０００６】
そして、前記の食品用包装袋において一対のプラスチックフィルムシートとして引き裂きの方向性を持たせた直線カットフィルムを使用することが公知であった（特許文献１）。
【０００７】
また、前記の食品用包装袋の製造方法においては、一対のプラスチックフィルムシートの原反となる２本の帯状シートを上下に重ね合わさて、原反ロールから繰り出されるようにし、帯状シートの一方の側部に食品用包装袋の開口部分が、他方の側部に隣り合う食品用包装袋のタブ部分が交互に逆向きに連続するように切り出すことが一般的であった（特許文献２）。
【先行技術文献】
【特許文献】
【０００８】
【特許文献１】第３０３２８６０号登録実用新案公報
【特許文献２】特開２０００−２８９７０４号公報
【発明の開示】
【発明が解決しようとする課題】
【０００９】
前記の従来技術においては、タブ部分に設けた摘み部などの易開封手段をカットテープごと指先で摘んで引っ張り上げることによりカットテープに沿って規定される方向、即ち袋体の斜面全長方向に沿ってシートが切り取られれ、切り取りにより生じた窓部からサンドイッチが露出することとなる。
【００１０】
この場合、包装袋は今だ完全に開封されておらず、収容された食品を取り出すには切り裂き部分の両端を指で摘んで互いに反対方向に引っ張って袋体を完全に開封する作業が必要であり、そのためには切り取りにより生じた窓部は極力大きいことが望まれ、そのためには摘み部などの易開封手段とカットテープの幅を広くすることが必要であった。
【００１１】
前記に関し、プラスチックフィルムシートとして引き裂きの方向性を持たせた直線カットフィルムを使用した包装袋においては、摘み部などの易開封手段とカットテープの幅が狭い場合は顕在化しないが、広くした場合は引き裂きが予期しない方向、すなわち装体の側面まで進行してしまい装体が不規則に破壊されしまい収容されたサンドイッチが落下したり、はみ出た具材が需要者の手に付着するおそれがあった。
【００１２】
一方、引き裂きの方向性を持たせた直線カットフィルムは本来は開封側のシートのみに必要であり、反対側のシートには不必要であったが帯状シートの一方の側部に包装袋の開口部分が、他方の側部に隣り合う包装袋のタブ部分が交互に逆向きに連続するように切り出す前記従来技術の製造方法においては、必然的に両シートは同一素材となってしまい、直線カットフィルムの材料コストを考慮した場合、包装袋全体のコストがアップしてしまう問題があった。
【課題を解決するための手段】
【００１３】
本願発明は前記の問題を解消した食品用包装袋を提供することを目的として創作されたものである。
【００１４】
すなわち、本願発明は、一対のプラスチックフィルムシートを重ね合わせ、各シートの先端所定範囲をタブとして残した状態で両側辺を横断する線に沿って各シート同士を接着した頂部封止部と、頂部封止部より後方の各シートの両側辺同士を接着した側面封止部により３方を封止した袋体を構成し、一方のシートのタブ部分に袋体を引き裂くための易開封手段を設け、この袋体内に固形の食品を挿入することにより袋体を食品の外形に沿った板状の立体形状に拡げる食品用包装袋において、少なくとも易開封手段を設けた側のシートに引き裂きの方向性を持たせた直線カットフィルムを積層したことを特徴とする。
【００１５】
また、請求項２記載の発明は前記の食品用包装袋において、積層される直線カットフィルムは延伸プラスチックフィルムであることを特徴とする。
【００１６】
また、請求項３記載の発明は前記の食品用包装袋において、下端を残して上方を半島状に切り込んだ舌片により上方に一定の面積を持った摘み部を一方のシートのタブ部分に設けることにより袋体を引き裂くための易開封手段とするとともに、一端が頂部封止部を越えて摘み部に達するカットテープを上記シートの裏面に接着したことを特徴とする。  
【００１７】
また、請求項４記載の食品用包装袋の製造方法は、一対のプラスチックフィルムシートを重ね合わせ、各シートの先端所定範囲をタブとして残した状態で両側辺を横断する線に沿って各シート同士を接着した頂部封止部と、頂部封止部より後方の各シートの両側辺同士を接着した側面封止部により３方を封止した袋体を構成し、一方のシートのタブ部分に袋体を引き裂くための易開封手段を設け、この袋体内に固形の食品を挿入することにより袋体を食品の外形に沿った板状の立体形状に拡げる食品用包装袋にして、少なくとも易開封手段を設けた側のシートに引き裂きの方向性を持たせた直線カットフィルムを積層した食品用包装袋の製造方法において、一対のプラスチックフィルムシートのそれぞれを個別の原反ロールから繰り出されるようにするとともに、繰り出し時にテンション制御を行うに際して、各原反ロールのプラスチックフィルムシート同士の伸びが同一になるようにテンションを調整することを特徴とする。  
【発明の効果】
【００１８】
本願発明者の実験によれば、引き裂きの方向性を持たせた直線カットフィルムはそれ単体では、方向性の範囲内で引き裂きが左右にぶれてしまう恐れがあるが、他のフィルムと積層することによりぶれが最小限に抑えられることが確認されている。これは積層することにより剛性が高まることに起因する作用と考えられる。
【００１９】
よって、本願発明の食品用包装袋においては易開封手段の幅を広くしても、引き裂きが予期しない方向に進行してしまい装体が不規則に破壊されしまうおそれがなく、使い勝手がよい食品用包装袋が実現されることとなる。
【００２０】
また、本願発明の食品用包装袋の製造方法においては、各原反ロールのプラスチックフィルムシート同士の伸びが同一になるようにテンションを調整しながら、一対のプラスチックフィルムシートのそれぞれを個別の原反ロールから繰り出すので、開封側でないシートを直線カットフィルムよりコストが低いフィルムとすることができる。そして、この場合、素材の特性や厚みにより繰り出し後の各シートの寸法が異なることによって接合や印刷のずれが生じることも防止される。
【図面の簡単な説明】
【００２１】
【図１】本願発明の食品用包装袋の展開状態の分解斜視図。
【図２】本願発明の食品用包装袋の包装状態の斜視図。
【図３】本願発明の食品用包装袋の開封過程の斜視図。
【図４】本願発明の食品用包装袋の開封過程の斜視図。
【図５】本願発明の食品用包装袋の開封過程の斜視図。
【発明を実施するための最良の形態】
【００２２】
以下、本願発明の具体的実施例を添付図面に基づいて説明する。図１〜図３は本願発明の食品用包装袋を示す図である。ここでは、包装する食品として三角形のサンドイッチを想定した食品用包装袋を例にとり説明することとする。すなわち、この包装袋は両側辺が先端に向かって幅狭となるプラスチックフィルム製の一対のシートを重ね合わせ、各シートの先端所定範囲をタブ部分として残した状態で、両側辺を横断する預部封止用接着線により各シート同士を接着した頂部封止部と、頂部封止部より後方の各シートの両側辺同士を接着した側面封止部により三方を封止して袋体とする。
【００２３】
前記の袋体においては、袋体内に三角形のサンドイッチを挿入することにより、対向する一対の斜面の厚みが頂部封止部の幅により規定される板状の三角形に袋体が立体的に拡げられる。この場合、サンドイッチの取り出しのための袋体の切り裂き手段として、易開封手段を一方のシートのタブ部分に設けるとともに、カットテープをその一端が頂部封止用接着線を越えてタブ部分に設けた易開封手段に達するようにシートの裏側に接着している。この袋体においては、タブ部分に設けた易開封手段をカツトテープごと指先で摘んで引っ張り上げることによりカットテープに沿って規定される方向、即ち袋体の斜面全長方向に沿ってシートが切り取られる作用を生じる。
【００２４】
前記袋体はプラスチックフィルム製の一対のシート１０、１により構成されるが、本願発明においては開封手段を設けた側のシート１０に引き裂きの方向性を持たせた直線カットフィルムを積層している。
【００２５】
ここでは、引き裂きの方向性を持たせた直線カットフィルムとして延伸プラスチックフィルムを使用している。
【００２６】
前記、一対のシート１０、１の構成の具体例を下記に記す。なお、これはあくまでも一例であり、構成はこれに限定されないことはもちろん、シート１にも直線カットフィルムを積層してもよいことは勿論である。
−具体例１−
シート１：防曇ＯＰＰ＃４０（東洋紡製、Ｐ５５６２等）
シート１０：ＯＰＰ＃２５（東レフィルム加工製、ＹＴ４２）／／防曇ＯＰＰ＃１５（フタムラ化学製、ＡＦ６４２）                    
−具体例２−
シート１：防曇ＯＰＰ＃３０（東洋紡製、Ｐ５５６２等）                    
シート１０：ＯＰＰ＃２５（東レフィルム加工製、ＹＴ４２）／／防曇ＯＰＰ＃２０（フタムラ化学製、ＡＦ６４２）                    
−具体例３−
シート１：防曇ＯＰＰ＃３０（東洋紡製、Ｐ５５６２等）                    
シート１０：ＯＰＰ＃２５（東レフィルム加工製、ＹＴ４２）／／防曇ＯＰＰ＃１５（フタムラ化学製、ＡＦ６４２）                    
【００２７】
この袋体はプラスチックフィルム製の一対のシート１０、１と、シート１０の裏面（袋の内面側）に接着されるカットテープ６を有する。なお、この実施例ではそこに挿入されたサンドイッチの裏側の具材が露出する端面に接すべき汚れ防止のためのプラスチックフィルム製の帯状片５を設けている。一対のシート１０、１は両側辺が先端に向かって幅狭となる台形又は台形類似の形状に構成され、三方を封止して袋体とした後、この袋体が立体的に拡げられる。
【００２８】
この場合、袋体を構成するにあたりシートの先端所定範囲が袋部分を構成しないタブ部分４Ａ、４Ｂとして残されるとともに、シートの後端が食品を差し入れるための開口として残される。具体的には、タブ部分４Ａ、４Ｂの開始地点においてシートの両側辺を横断する線に沿って各シート同士を接着する頂部封止用接着線２Ａ、２Ｂが設けられるとともにこの頂部封止部より後方の各シートの両側辺同士を接着した側面封止部３Ａ、３Ｂが設けられることにより袋体の三方の封止部とされる。そして、折れ目Ａ１、Ａ１及びＢ１、Ｂ１をもって対向する一対の斜面Ａ及びＢの厚みが頂部封止部２Ａ、２Ｂの幅により規定され、側面Ｃ、Ｃが三角形をなす板状の三角形にこの袋体を拡げることによって袋体の基本形が完成する。なお、ここでは接着手段としてヒートシールを採用する。
【００２９】
上記の製袋工程において、カットテープ６が一方のシート１０の裏面に接着される。このカットテープ６はその一端が頂部封止用接着線２Ａ、２Ｂを越えてタブ部分４Ａ、４Ｂに設けた易開封手段に達するように配される。ここでは上記易開封手段として下端を残して上方を半島状に切り込んだ舌片により上方に一定の面積を持った摘み部Ｓを使用しているものであり、ここではシート１０を山型に切り込むことにより得ている。
【００３０】
以上の工程により基本形が完成した袋体にはサンドイツチが後部の開口から差し入れられた後、サンドイッチ後端から袋体後端の開口部にかけた袋体の余剰部を折り畳んで粘着テープ等により封止して包装が完了する。
【００３１】
以上の食品用包装袋の開封に当たっては、カツトテープ１０が接着されている側のシート１０のタブ４Ａの摘み部Ｓを摘んでめくりながら引っ張り上げることにより、これに接着されているカットテープも引っ張り上げられることによりシートはそのままカツトテープに沿って切り裂かれながら中央部分が切り取られることになる（図３、４参照）。
【００３２】
次いで、切り取りにより生じた窓部を境として袋体の一方のシート１０を左右に引っ張れば、頂部封止用接着線２Ａに沿って引き裂かれ容易に左右に開くことができ、広い窓部Ｐが出現することとなる（図５参照）。
【符号の説明】
【００３３】
Ｓ      摘み部
Ｐ      窓部
１      シート
２Ａ    頂部封止用接着線
２Ｂ    頂部封止用接着線
３Ａ    側面封止部    
３Ｂ    側面封止部    
４Ａ    タブ
４Ｂ    タブ
５      （汚れ防止のための）帯状片
６      カットテープ
１０    シート
【図１】
2020200069.tif 000003
【図２】
2020200069.tif 000004
【図３】
2020200069.tif 000005
【図４】
2020200069.tif 000006
【図５】
2020200069.tif 000007